(57)【要約】  皮膚創傷閉鎖装置は、皮膚創傷（１０）の両側に設けられた支持構造および支持構造上に配置された少なくとも１つの固定装置を備えている。前記固定装置は、支持構造上に設けられた固定バックル（２）と、固定バックル（２）内に可動装着された固定ベルト（４）とを備えており、固定バックル（２）上に、固定ベルト（４）を固定または解放するための固定部材（３）が設けられている。前記皮膚創傷閉鎖装置は、医師が固定部材（３）を制御することにより、前記固定ベルト（４）を緩めて皮膚創傷に対して前記支持構造および固定装置を移動させることができ、これによって皮膚創傷に作用する縫合力の便利な調節を実現することができる。
2013533004.tif 000002
【特許請求の範囲】
【請求項１】
皮膚創傷閉鎖装置であって、
皮膚創傷（１０）の両側にそれぞれ配置される支持構造を備えており、前記支持構造上に少なくとも一つの固定装置が配置されており、前記固定装置は、固定ベルト（４）と前記支持構造上に設けられている固定バックル（２）とを備えており、前記固定ベルト（４）は前記固定バックル（２）内に可動に接続されており、固定バックル（２）内に、固定ベルト（４）の固定バックル（２）内での係合を固定または解放することができる固定部材（３）が設けられていることを特徴とする皮膚創傷閉鎖装置。
【請求項２】
固定ベルト（４）を通す通し穴（５）が固定バックル（２）内に設けられており、前記固定部材（３）が、前記固定ベルト（４）の上面と前記通し穴（５）の頂壁との間に設けられた転動体を採用して制作されていることを特徴とする請求項１に記載の皮膚創傷閉鎖装置。
【請求項３】
前記通し穴（５）の頂壁に摺動溝（６）が設けられており、前記転動体は、直径が前記摺動溝（６）の内側の頂壁から前記固定ベルト（４）上面までの間の高さ以上であって、且つ前記摺動溝（６）の外側の頂壁から前記固定ベルト（４）上面までの間の高さ未満であり、転動体を配置するために摺動溝（６）が設けられていることを特徴とする請求項２に記載の皮膚創傷閉鎖装置。
【請求項４】
前記固定バックル（２）の頂面に、前記摺動溝（６）に通じるスロット（７）が設けられていることを特徴とする請求項３に記載の皮膚創傷閉鎖装置。
【請求項５】
前記固定ベルト（４）の上面に、摩擦力を増加させる突出物が設けられていることを特徴とする請求項４に記載の皮膚創傷閉鎖装置。
【請求項６】
前記皮膚創傷（１０）の両側にそれぞれ位置する支持構造は、支持テープ（１）と、前記支持テープ（１）上面に設けられた基材テープ（８）と、を備えており、固定バックル（２）が基材テープ（８）上に固定設置されていることを特徴とする請求項５に記載の皮膚創傷閉鎖装置。
【請求項７】
前記基材テープ（８）は、前記支持テープ（１）上面の内側の縁部に設けられており、前記支持テープ（１）および前記基材テープ（８）の内側の縁部は円弧面であることを特徴とする請求項６に記載の皮膚創傷閉鎖装置。
【請求項８】
前記支持テープ（１）の下面に低アレルギー性粘着剤（９）が塗布されていることを特徴とする請求項７に記載の皮膚創傷閉鎖装置。
【請求項９】
前記両側の支持構造上にいずれも前記固定バックル（２）が設けられており、前記固定ベルト（４）の両端と皮膚創傷（１０）の両側の前記固定バックル（２）を可動接続することを特徴とする請求項１から８のいずれか一項に記載の皮膚創傷閉鎖装置。
【請求項１０】
前記固定バックル（２）を皮膚創傷（１０）の片側の支持構造上にのみ設け、前記固定ベルト（４）の一端を前記固定バックル（２）に可動接続し、他端を他方の側の支持構造上に固定接続することを特徴とする請求項１から８のいずれか一項に記載の皮膚創傷閉鎖装置。
【発明の詳細な説明】
【技術分野】
【０００１】
本発明は、皮膚創傷縫合に用いる医療機器に関するものであり、具体的には、皮膚創傷癒合を促進可能な皮膚創傷閉鎖装置に関するものである。
【背景技術】
【０００２】
現在、皮膚ファスナーなどの皮膚創傷の縫合器は、新しい皮膚創傷の形成、縫合糸アレルギー、異物残留がもたらされる、感染しやすい、癒合した創傷に「ムカデの足」の様な傷跡が残る、などの、従来の針と糸による皮膚創傷の縫合の多くの課題を解決することができる。特許文献１では、発明の名称が「創傷閉合器具」である、皮膚創傷に用いる医療機器を公開している。しかしながら、このような創傷閉合器具は、使用時に、創傷全体を閉鎖するため、医師が操作の際に創傷の縁部が平らに突き合わさっているかどうかを確認することが難しい、創傷癒合状況を観察できない、痂皮および創傷分泌物が閉鎖面の下で凝固し、創傷の通気および創傷ドレナージに非常に不便であり、創傷清浄およびドレッシング交換の要求を満たすことができないなど、他の課題をもたらす。特許文献２は、上述した課題を解決しているが、この特許は、ラチェット原理を採用しているため、創傷を固定する縫合力を単一方向でしか調節できず（縫合力を増加することしかできない）、医師が創傷縫合時および創傷癒合中に（例えば、創傷でドレナージが必要な場合、または器具を置く必要がある場合）、創傷に施す縫合力を任意に大きくまたは小さく調節する必要があるという切迫した要求を満たすことができない。
【先行技術文献】
【特許文献】
【０００３】
【特許文献１】中国公開特許公報出願番号第８７１０８１２５号明細書
【特許文献２】中国特許第０３１１７３６４．０号
【発明の概要】
【発明が解決しようとする課題】
【０００４】
本願は、創傷の縫合力を任意に調節可能な皮膚創傷閉鎖装置を提供することを解決すべき課題とする。
【課題を解決するための手段】
【０００５】
上記課題を解決するための手段は、皮膚創傷の両側に配置された支持構造を備えており、支持構造上方には少なくとも１つの固定装置が配置されており、前記固定装置は、固定ベルトと支持構造上に設けられた固定バックルとを備えており、固定ベルトは、固定バックル内に可動に接続されており、固定バックル上に、固定ベルトの固定バックル内での係合を固定または解放することができる固定部材が設けられている皮膚創傷閉鎖装置、である。
【０００６】
さらに、固定ベルトを通して外装する通し穴（貫通穴）が固定バックル内に設けられている。前記固定部材は、固定ベルトの上面と通し穴の頂壁との間に設けられた転動体（回転要素）を採用して制作されている。
【０００７】
さらに、通し穴の頂壁に、転動体を置くための摺動溝（滑走台）が設けられている。転動体の直径は、摺動溝の内側の頂壁（壁面最上部）から固定ベルト上面までの間の高さ以上であって、摺動溝の外側の頂壁から固定ベルト上面までの間の高さ未満である。
【０００８】
さらに、固定バックルの頂面（最上面）に、摺動溝に通じるスロット（細長い貫通穴）が設けられている。
【０００９】
さらに、固定ベルトの上面に、摩擦力を増加させる突出物が設けられている。
【００１０】
さらに、前記皮膚創傷の両側に位置する支持構造は、支持テープと、支持テープ上面に設けられた基材テープとを備えており、固定バックルを基材テープ上に固設（固定設置）する。
【００１１】
さらに、基材テープは、支持テープ上面の内側の縁部に設けられており、前記支持テープおよび基材テープの内側の縁部は円弧面となっている。
【００１２】
さらに、支持テープの下面に低アレルギー性粘着剤が塗布されている。
【００１３】
一つの好ましい形態として、前記両側の支持構造上にいずれも固定バックルを設け、固定ベルトの両端と皮膚創傷の両側の固定バックルとを可動接続（可動な状態で接続）する。
【００１４】
もう一つの好ましい形態として、前記固定バックルを皮膚創傷の片側の支持構造上にのみ設け、固定ベルトの一端を固定バックルに可動接続し、他端を他方の側の支持構造上に固定接続する。
【発明の効果】
【００１５】
固定部材の設置により、医師が固定部材を制御することによって固定ベルトの固定バックル内での係合を緩めることができるようにし、任意に支持構造および固定装置を皮膚創傷に近い方向に移動させるか、または皮膚創傷から離れた方向に移動させることができる。移動させた後、固定部材によって固定ベルトを固定バックル内で再び固定させることができ、これによって皮膚創傷の縫合力を任意に調節する目的を達成する。固定ベルト接続の全閉鎖式ではない構造によって、皮膚創傷の通気、ドレナージ、ドレッシング交換を便利に行い、直視下で皮膚創傷の端部の突き合わせおよび癒合状況を随時観察することができ、皮膚創傷の癒合治療における普及に適している。
【図面の簡単な説明】
【００１６】
【図１】本発明にかかる一つの実施形態の構造概略図である。
【図２】図１の上面図である。
【図３】図１のＡ部分の局所拡大概略図である。
【図４】本発明にかかるもう一つの実施形態の構造概略図である。
【発明を実施するための形態】
【００１７】
以下に、図面および実施例を組み合わせて、本発明についてさらに説明する。
【００１８】
図１から図４に示すように、本発明の皮膚創傷閉鎖装置は、皮膚創傷１０の両側にそれぞれ配置される支持構造を備えている。支持構造の上には、少なくとも１つの固定装置が配置されている。前記固定装置は、固定ベルト４と、支持構造上に設けられた固定バックル２とを備えている。固定ベルト４は、固定バックル２内に可動に接続されている。固定バックル２上に、固定ベルト４の固定バックル２内での係合を固定または解放することができる固定部材３が設けられている。動作時には、支持構造を動物またはヒトの皮膚創傷１０の両側に配置する。皮膚創傷１０の縫合力を大きくする必要がある場合には、固定部材３を操作して固定ベルト４の固定バックル２内での係合を緩めた後、支持構造および固定装置を内側に移動させる（皮膚創傷１０の方向に移動させる）と、皮膚創傷１０の縫合力を増大させて皮膚創傷１０の両側の縁部（端部）を近づけ、突き合わせることができる。次いで、固定部材３を操作して固定ベルト４をきつく締めて固定バックル２内で固定し、両側の突き合わせた縁部の適度な縫合張力を保持し、皮膚創傷１０の自然癒合を促進する。縫合力を小さくする必要がある場合には、固定ベルト４の固定バックル２内での係合を緩めた状態で、支持構造および固定装置を外側に移動させるだけでよい（皮膚創傷１０から離れた方向に移動させる）。固定部材３の設置により、医師が固定部材３を制御することによって固定ベルト４の固定バックル２内での係合を緩めることができるようにし、任意に支持構造および固定装置を皮膚創傷１０に近い方向に移動させるか、または皮膚創傷１０から離れた方向に移動させることができる。移動させた後、固定部材３によって固定ベルト４を固定バックル２内で再び固定させることができ、これによって皮膚創傷１０の縫合力を任意に調節する目的を達成する。固定ベルト４接続の完全閉鎖式ではない構造（非全閉鎖式構造）によって、皮膚創傷１０の通気、ドレナージ、ドレッシング交換を便利にし、直視下で皮膚創傷１０の縁部の突き合わせおよび癒合状況を随時観察することができる。固定装置は、複数設置することが好ましく、皮膚創傷１０に対してよりよい閉鎖作用を達成することができる。
【００１９】
上述した実施形態において、固定ベルト４を固定バックル２内に可動接続する形式は、固定ベルト４に合った溝を固定バックル２上に１つ設けて、固定ベルト４をこの溝の中で摺動係合させてもよい。固定部材３は、ネジを採用して制作することができ、ネジを採用して制作する場合には、ネジを正逆方向に回転させるだけで、固定ベルト４の固定または解放作用を達成することができる。好ましい実施形態として、固定ベルト４を通す通し穴５が固定バックル２内に設けられ、前記固定部材３は、固定ベルト４の上面と通し穴５の頂壁との間に設けられた転動体を採用して制作されている。この転動体は、円形（環状）の鋼球を採用して制作してもよく、また転動柱（回転可能な円柱）を採用して制作してもよい。転動体を採用して固定部材３として用いる場合には、この転動体の転動を制御するだけで、固定ベルト４を固定または解放する作用を達成することができる。転動体を通し穴５から出すことによって、固定ベルト４が通し穴５において緩んだ状態にすることができ、転動体を通し穴５内に置くと、固定ベルト４を固定することができる。医師が転動体の制御をしやすくするために、好ましい方法として、通し穴５の頂壁に、直径が摺動溝６の内側の頂壁から固定ベルト４上面までの間の高さ以上であって、摺動溝６の外側の頂壁から固定ベルト４上面までの間の高さ未満である転動体を置くための摺動溝６が設けられている。ここでいう内側とは、皮膚創傷１０に近い側をいい、外側とは皮膚創傷１０から離れた側をいう。設置した摺動溝６によって、転動体の直径が摺動溝６の内側の頂壁から固定ベルト４上面までの間の高さ以上であって、摺動溝６の外側の頂壁から固定ベルト４上面までの間の高さ未満である場合、転動体を外側に移動させると、転動体の直径が摺動溝６の外側の頂壁から固定ベルト４上面までの間の高さ未満であるために、転動体の底部を固定ベルト４上面から離すことができ、これによって固定ベルト４が通し穴５内において緩んだ状態になり、皮膚創傷１０の両側の支持構造および固定装置を自由に移動させて皮膚創傷１０の閉鎖力を調節することができる。転動体を内側に移動させると、転動体の直径が摺動溝６の内側の頂壁から固定ベルト４上面までの間の高さ以上であるために、転動体によって固定ベルト４が押され、皮膚創傷１０を閉鎖する。この調節方法は、転動体を通し穴５の外まで移動させずに、固定ベルト４の固定または解放作用を達成することができる。
【００２０】
医師が転動体の制御をさらにしやすくするために、固定バックル２の頂面に、摺動溝６に通じるスロット７が設けられている。このスロット７は、医師が手術中に用いるピンセットなどの工具または組み合わせる専用工具の大きさに合わせて設計することができ、医師は、このスロット７によって、転動体の摺動溝６内における外側または内側への転動を制御し、転動体の固定ベルト４に対する締め付けまたは緩めを任意に制御する効果を達成することができる。
【００２１】
以上の実施形態において、転動体が固定ベルト４を固定するときに滑り（スリップ）象が現れることを防止するために、固定ベルト４の上面に、摩擦力を増加させる突出物が設けられている。この突出物の設置によって、固定ベルト４と転動体との間の摩擦力を増加させることができ、これによって固定時に滑りが現れることを防止し、皮膚創傷１０の閉鎖の信頼性を高めることができる。
【００２２】
以上の実施形態において、皮膚創傷１０の両側に位置する支持構造は、固定バックル２を有効に支持接続できさえすれば、どのような構造を採用してもよい。例えば、平板を採用して、固定バックル２の支持接続を形成してもよい。好ましい実施形態として、前記皮膚創傷１０の両側に位置する支持構造は、支持テープ１と、支持テープ１上面に設けられた基材テープ８とを備えており、固定バックル２を基材テープ８上に固定設置する。支持テープ１は、皮膚に対する有効な接触を形成することができ、基材テープ８の設置によって、固定バックル２が力を受ける信頼性を大幅に高めることができ、これによって装置全体の使用寿命を向上させることができる。支持テープ１は、縦方向の弾性が低く、横方向に延伸可能なポリアミド、ポリエステル織布または包帯を採用して制作することができる。基材テープ８および固定装置は、ポリアミド、ポリエステル、ポリオレフィン、ステンレス鋼またはその他の金属材料を採用して制作することができる。
【００２３】
皮膚創傷１０の癒合効果を高めるために、基材テープ８は、支持テープ１上面の内側の縁部に設けられ、前記支持テープ１および基材テープ８の内側の縁部は円弧面となっている。図１に示すように、この円弧面の設置により、皮膚創傷１０を閉鎖するときに、創傷の縁部を圧迫することによって、創傷を軽く外に反らして、皮膚創傷１０の癒合を促進し、皮膚創傷１０がきれいに癒合することを保証することができる。
【００２４】
本発明の皮膚創傷閉鎖装置による皮膚に対する損傷を防止するために、支持テープ１の下面に低アレルギー性粘着剤９が塗布されている。この低アレルギー性粘着剤９は、感圧粘着剤またはアクリル系接着剤を採用することができる。
【００２５】
以上の実施形態において、１つの好ましい方法として、図１および図２に示すように、前記両側の支持構造上にいずれも固定バックル２を設け、固定ベルト４の両端と皮膚創傷１０の両側の固定バックル２とを可動接続する。この方法では、固定ベルト４を固定するときに、皮膚創傷１０の両側の固定部材３を同時に操作しなければ、固定ベルト４を固定することができない。もう１つの好ましい方法として、図４に示すように、前記固定バックル２を皮膚創傷１０の片側の支持構造上にのみ設けて、固定ベルト４の一端を固定バックル２に可動接続し、他端を他方の側の支持構造上に固定接続する。この実施形態では、固定ベルト４を固定するときに、固定バックル２がある側のみで、固定部材３を用いて固定ベルト４を固定すればよい。
【符号の説明】
【００２６】
１  支持テープ
２  固定バックル
３  固定部材
４  固定ベルト
５  通し穴
６  摺動溝
７  スロット
８  基材テープ
９  低アレルギー性粘着剤
１０  皮膚創傷
【図１】
2013533004.tif 000003
【図２】
2013533004.tif 000004
【図３】
2013533004.tif 000005
【図４】
2013533004.tif 000006
【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
皮膚創傷閉鎖装置であって、
皮膚創傷（１０）の両側にそれぞれ配置される支持構造を備えており、前記支持構造上に少なくとも一つの固定装置が配置されており、前記固定装置は、固定ベルト（４）と前記支持構造上に設けられている固定バックル（２）とを備えており、前記固定ベルト（４）は前記固定バックル（２）内に可動に接続されており、固定バックル（２）内に、固定ベルト（４）の固定バックル（２）内での係合を固定または解放することができる固定部材（３）が設けられており、
固定ベルト（４）を通す通し穴（５）が固定バックル（２）内に設けられており、前記固定部材（３）が、前記固定ベルト（４）の上面と前記通し穴（５）の頂壁との間に設けられた転動体を採用して制作されていることを特徴とする皮膚創傷閉鎖装置。
【請求項２】
前記通し穴（５）の頂壁に摺動溝（６）が設けられており、前記転動体は、直径が前記摺動溝（６）の内側の頂壁から前記固定ベルト（４）上面までの間の高さ以上であって、且つ前記摺動溝（６）の外側の頂壁から前記固定ベルト（４）上面までの間の高さ未満であり、転動体を配置するために摺動溝（６）が設けられていることを特徴とする請求項１に記載の皮膚創傷閉鎖装置。
【請求項３】
前記固定バックル（２）の頂面に、前記摺動溝（６）に通じるスロット（７）が設けられていることを特徴とする請求項２に記載の皮膚創傷閉鎖装置。
【請求項４】
前記固定ベルト（４）の上面に、摩擦力を増加させる突出物が設けられていることを特徴とする請求項３に記載の皮膚創傷閉鎖装置。
【請求項５】
前記皮膚創傷（１０）の両側にそれぞれ位置する支持構造は、支持テープ（１）と、前記支持テープ（１）上面に設けられた基材テープ（８）と、を備えており、固定バックル（２）が基材テープ（８）上に固定設置されていることを特徴とする請求項４に記載の皮膚創傷閉鎖装置。
【請求項６】
前記基材テープ（８）は、前記支持テープ（１）上面の内側の縁部に設けられており、前記支持テープ（１）および前記基材テープ（８）の内側の縁部は円弧面であることを特徴とする請求項５に記載の皮膚創傷閉鎖装置。
【請求項７】
前記支持テープ（１）の下面に低アレルギー性粘着剤（９）が塗布されていることを特徴とする請求項６に記載の皮膚創傷閉鎖装置。
【請求項８】
前記両側の支持構造上にいずれも前記固定バックル（２）が設けられており、前記固定ベルト（４）の両端と皮膚創傷（１０）の両側の前記固定バックル（２）を可動接続することを特徴とする請求項１から７のいずれか一項に記載の皮膚創傷閉鎖装置。
【請求項９】
前記固定バックル（２）を皮膚創傷（１０）の片側の支持構造上にのみ設け、前記固定ベルト（４）の一端を前記固定バックル（２）に可動接続し、他端を他方の側の支持構造上に固定接続することを特徴とする請求項１から７のいずれか一項に記載の皮膚創傷閉鎖装置。
【国際調査報告】
2013533004.tif 000007
2013533004.tif 000008
2013533004.tif 000009
2013533004.tif 000010
2013533004.tif 000011